【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2005504150.tif 000001
［式中、−Ｌは、数平均分子量Ｍｎ３００〜１００００を有するポリイソブチレニル基であり、
−Ｌ１及び−Ｌ２は、相互に無関係で、−Ａ１、−Ａ２又は−Ｏ−Ｍ＋であり、２つの内一方は、−Ａ１であり、又は
−Ｌ１及び−Ｌ２は一緒に
【化２】
2005504150.tif 000002
であり、
−Ａ１は、
【化３】
2005504150.tif 000003
であり、
−Ａ２は、
【化４】
2005504150.tif 000004
であり、
Ｍ＋は、Ｈ＋、アルカリ金属陽イオン、０．５個のアルカリ土類金属陽イオン、他の金属陽イオン又はＮＨ４＋であり、ここで、ＮＨ４＋における１個以上のＨは、Ｃ１〜Ｃ４−アルキル基によって置換されることが可能であり、
Ｒは、直鎖又は分枝鎖の飽和Ｃ３〜Ｃ１２−炭化水素基又は環状又は複素環状の飽和Ｃ４〜Ｃ１２−炭化水素基であり、
これは、
【化５】
2005504150.tif 000005
から選択される少なくとも２個の構築ブロック、及び
必要とあれば、１個以上の−ＯＨ、−ＮＨ２、−ＮＨ３＋及び／又は−Ｃ（Ｈ）Ｏを有し、及び／又は１個以上の非隣接−Ｏ−及び／又は−Ｎ（Ｈ）−を有し、
ここで、−Ｎ（Ｈ）−、−ＮＨ２、−ＮＨ３＋における１個以上のＨは、Ｃ１〜Ｃ４−アルキル基によって置換されることが可能であり、
Ｒ１及びＲ２は、相互に無関係で、直鎖の飽和Ｃ２〜Ｃ１２−炭化水素基又は分枝鎖の飽和Ｃ３〜Ｃ１２−炭化水素基であり、
ここで、２個の炭化水素基は一緒に、基：
【化６】
2005504150.tif 000006
から選択される少なくとも２個の構築ブロック、及び、必要とあれば、１個以上の−ＯＨ、−ＮＨ２、−ＮＨ３＋及び／又は−Ｃ（Ｈ）Ｏを有し、及び／又は１個以上の非隣接−Ｏ−及び／又は−Ｎ（Ｈ）−を有し、
かつ、ここで、−Ｎ（Ｈ）−、−ＮＨ２又は−ＮＨ３＋における１個以上のＨは、Ｃ１〜Ｃ４−アルキル基によって置換されることが可能であり、かつ
個々の構築ブロック中のa、b、c、d、e、f、g、h、i及びjは、同じ又は異なり、１〜５０の整数である］の化合物。
【請求項２】
式（I）の化合物におけるＡ１＋Ａ２の割合が、少なくとも１５質量％である、請求項１に記載の化合物。
【請求項３】
式中の−Ｌは、数平均分子量Ｍｎ３００〜１２００を有するポリイソブチレニル基であり、又は数平均分子量２０００〜１００００を有するポリイソブチレニル基である、請求項１又は２に記載の化合物。
【請求項４】
式中の−Lは、多分散率≦３．０を有するポリイソブチレニル基である、請求項１から３までのいずれか１項に記載の化合物。
【請求項５】
式中の−Ｌは、少なくともイソブチレン単位８０質量％から成っているポリイソブチレニル基である、請求項１から４までのいずれか１項に記載の化合物。
【請求項６】
式中の２つの置換基−Ｌ１及び−Ｌ２の一方は−Ｏ−M＋であり、他方は−Ｏ−Ｒ、−Ｎ（Ｈ）Ｒ又は−ＮＲ１Ｒ２であり、かつ
Ｒは、−Ｏ［ＣＨ２−ＣＨ２−Ｏ−］ｆＨ及び−N（Ｈ）［ＣＨ２−ＣＨ２−Ｏ−］ｈＨから成る群から選択される３〜１０個の置換基、及び、必要とあれば、１個以上の−ＯＨ、−ＮＨ２及び／又は−Ｃ(Ｈ)Ｏを有する、及び／又は１個以上の−Ｏ−及び／又は−Ｎ(Ｈ)−を含有する直鎖又は分枝鎖の飽和Ｃ４〜Ｃ１２−炭化水素基であり、かつ
個々の置換基中のｆ及びｈは同じ又は異なり、１〜１０の整数であり、又は
Ｒ１及びＲ２は相互に無関係で、４〜１２個の炭素原子の総計を有する２つの直鎖又は分枝鎖の飽和炭化水素基であり、これは一緒に、−Ｏ［ＣＨ２−ＣＨ２−Ｏ−］ｆＨ及び−N（Ｈ）［ＣＨ２−ＣＨ２−Ｏ−］ｈＨから成る群から選択される３〜１０個の置換基、及び、必要とあれば、１個以上の−ＯＨ、−ＮＨ２及び／又は−Ｃ(Ｈ)Ｏを有する、及び／又は１個以上の−Ｏ−及び／又は−Ｎ(Ｈ)−を含有し、かつ
個々の置換基中のｆ及びｈは同じ又は異なり、１〜１０の整数である、請求項１から５までのいずれか１項に記載の化合物。
【請求項７】
式中の２つの置換基−Ｌ１及び−Ｌ２の一方は−Ｏ−M＋であり、他方は−Ｏ−Ｒ又は−Ｎ（Ｈ）Ｒであり、かつ
Ｒは、３〜１０個の−Ｏ［ＣＨ２−ＣＨ２−Ｏ−］ｆＨ置換基、及び必要とあれば、１個以上の−ＯＨ及び／又は−Ｃ(Ｈ)Ｏを有する直鎖又は分枝鎖の飽和Ｃ４〜Ｃ１２−炭化水素基であり、かつ
個々の−Ｏ［ＣＨ２−ＣＨ２−Ｏ−］ｆＨ基中のｆは同じ又は異なり、１〜１０の整数である、請求項６に記載の化合物。
【請求項８】
式中の−Ｌ１及び−Ｌ２は一緒に
【化７】
2005504150.tif 000007
であり、
Ｒは、３〜１０個の−Ｏ［ＣＨ２−ＣＨ２−Ｏ−］ｆＨ置換基、及び必要とあれば、１個以上の−ＯＨ及び／又は−Ｃ(Ｈ)Ｏを有する直鎖又は分枝鎖の飽和Ｃ４〜Ｃ１２−炭化水素基であり、
個々の−Ｏ［ＣＨ２−ＣＨ２−Ｏ−］ｆＨ基中のｆは同じ又は異なり、１〜１０の整数である、請求項１から５までのいずれか１項に記載の化合物。
【請求項９】
式（II）：
【化８】
2005504150.tif 000008
［式中、−Ｌは、数平均分子量Ｍｎ３００〜１００００を有するポリイソブチレニル基であり、
−Ｌ３及び−Ｌ４は、相互に無関係で、
【化９】
2005504150.tif 000009
であり、
かつ
個々の単位におけるｋ、ｌは、並びにｍとnの合計は、同じ又は異なり、４〜５０の整数である］の化合物。
【請求項１０】
式（Ｖ）：
【化１０】
2005504150.tif 000010
［式中、−Ｌは、数平均分子量Ｍｎ３００〜１００００を有するポリイソブチレニル基であり、
−Ｌ５及び−Ｌ６は、相互に無関係で、−Ｏ−M＋、
【化１１】
2005504150.tif 000011
から成る群から選択され、2つの基−Ｌ５及び−Ｌ６の一方は、−Ｏ−M＋であり、
Ｍ＋は、Ｈ＋、アルカリ金属陽イオン、０．５個のアルカリ土類金属陽イオン、他の金属陽イオン又はＮＨ４＋であり、ここで、ＮＨ４＋における１個以上のＨは、Ｃ１〜Ｃ４−アルキル基によって置換されることが可能であり、かつ
個々の単位におけるｋ、ｌは、並びにｍとnの合計は、同じ又は異なり、４〜５０の整数である］の化合物。
【請求項１１】
請求項１から８までのいずれか１項に記載の式（I）の化合物を製造するために、次の方法段階を包含する方法：
a）ポリイソブチレンとフマリルジクロリド、フマル酸、マレイルジクロリド、マレイン酸又は無水マレイン酸とを反応させて、式（IIIa）、（IIIｂ）又は（IIIｃ）の化合物を得る：
【化１２】
2005504150.tif 000012
ｂ）段階a）によって得られる式（IIIa）、（IIIｂ）又は（IIIｃ）の化合物と、Ｒ*OH、Ｒ*NH２及びＲ１*Ｒ２*NHから成る群から選択される極性成分との反応及び
ｃ）段階ｂ）によって得られる反応生成物とエチレンオキシドとの反応、及び
ｄ）必要とあれば、存在する−COClの−CO２Hへの加水分解、及び
e）必要とあれば、存在する−CO２H及び／又は−COClを、NH３、アミン又は、アルカリ金属塩、アルカリ土類金属塩又は金属塩で、相応する塩に変換、
ここで、R*は、−OH、−N(H)−及び−NH２から成る群から選択される少なくとも２個の構築ブロックを含有し、必要とあれば、１個以上の−NH３＋及び／又は−C(H)Oを有し、及び／又は１個以上の−O−を有する直鎖又は分枝鎖の飽和C３〜C１２−炭化水素基又は環状または複素環状飽和C４〜C１２−炭化水素基であり、
Ｒ１*及びＲ２*は、相互に無関係で、直鎖の飽和C２〜C１２−炭化水素基又は分枝鎖の飽和C３〜C１２−炭化水素基であり、2つの炭化水素基は一緒に、−OH、−N(H)−及び−NH２から成る群から選択される少なくとも2個の構築ブロックを含有し、必要とあれば、1個以上の−NH３＋及び／又は−C(H)Oを有し、及び／又は1個以上の−O−を含有するが、
−N(H)−、−NH２及び／又は−NH３＋中の１個以上のHを、C１〜C４−アルキル基によって代えることが可能であり、しかも−OH、−N(H)−及び−NH２から成る群から選択される少なくとも2個の構築ブロックはそのままで存在することが必要である。
【請求項１２】
請求項９に記載の式（II）の化合物又は請求項１０に記載の式（V）の化合物を製造するために、次の方法段階を包含する方法：
【化１３】
2005504150.tif 000013
α）ポリイソブチレンとフマリルジクロリド、フマル酸、マレイルジクロリド、マレイン酸又は無水マレイン酸とを反応させ、式（IIIa）、（IIIｂ）又は（IIIｃ）の化合物を得る：
【化１４】
2005504150.tif 000014
β）必要とあれば、式（IIIa）及び（IIIｃ）の化合物とアンモニア、エタノールアミン又はジエタノールアミンとの反応、及び
γ）段階α）及びβ）によって得られる化合物とエチレンオキシド又はオリゴ−又はポリエチレングリコールとの反応、
δ）必要とあれば、存在する−COClの−CO２Hへの加水分解、
ε）必要とあれば、存在する−CO２H及び／又は−COClを、NH３、アミン又は金属塩、アルカリ金属塩又はアルカリ土類金属塩で、相応する塩に変換
ここで、−Lは、数平均分子量Mn３００〜１００００を有するポリイソブチレニル基であり、
−Ｌ３及び−Ｌ４は、相互に無関係で、
【化１５】
2005504150.tif 000015
であり、
−Ｌ５及び−Ｌ６は、相互に無関係で、−O−M＋、
【化１６】
2005504150.tif 000016
から成る群から選択され、
２つの基−Ｌ５及び−Ｌ６の一方は−O−M＋であり、M＋はH＋、アルカリ金属陽イオン、０．５個のアルカリ土類金属陽イオン、他の金属陽イオン又はNH４＋であり、NH４＋における１個以上のHはC１〜C４−アルキル基によって代えられることが可能であり、かつ
個々の単位中のｋ、ｌは、並びにｍとnの合計は、同じ又は異なり、４〜５０の整数である。
【請求項１３】
水６０〜９５質量％、油３〜３５質量％及び乳化剤として、請求項１から１０までのいずれか１項に記載の１種以上の式（I）、（II）及び／又は（V）の化合物０．２〜１０質量％から成る水中油エマルジョン。
【請求項１４】
１種以上の式（I）、（II）及び／又は（V）の化合物に加えて、１種以上の他の乳化剤、有利に、ソルビタンモノオレエート、Ｃ１３−オキソアルコールエトキシレート又はアルキルフェノールエトキシレート、及び／又は１種以上の殺生物剤が存在している、請求項１３に記載のエマルジョン。
【請求項１５】
金属表面を処理するための、
Ａ）請求項１から１０までのいずれか１項に記載の少なくとも１種の式（Ｉ）、（II）及び／又は（Ｖ）の化合物、
Ｂ）１種以上の成分Ａ）を溶解、分散、懸濁又は乳化させることができる少なくとも１種の溶剤、及び
Ｃ）必要とあれば、他の成分
から成る組成物。
【請求項１６】
溶剤Ｂ）は水である、請求項１５に記載の組成物。
【請求項１７】
金属表面を、請求項１５又は１６に記載した組成物と接触させることを特徴とする、金属表面の処理法。
【請求項１８】
次の段階から成る、請求項１７に記載の方法：
Ｖ１）必要とあれば、汚物、油脂を除去するために金属表面の清浄化、
Ｖ２）必要とあれば、水での洗浄、
Ｖ３）必要とあれば、場合により本発明の組成物の存在での、酸洗い、
Ｖ４）必要とあれば、水での洗浄、
Ｖ５）本発明の組成物での金属表面の処理、
Ｖ６）必要とあれば、水での洗浄、及び
Ｖ７）必要とあれば、場合により本発明の組成物の存在での、後処理。
【請求項１９】
金属表面を請求項１５又は１６に記載の組成物でコーティングさせることを特徴とする防食法。
【請求項２０】
請求項１５又は１６に記載の組成物でのコーティング、続いて溶剤の除去によって得られる、請求項１から１０までのいずれか１項に記載の少なくとも１種の化合物及び必要とあれば、他の成分を有する、少なくとも１種のコーティングを有する金属表面。
【手続補正２】
【補正対象書類名】明細書
【補正対象項目名】０１０８
【補正方法】変更
【補正の内容】
【０１０８】
本発明の方法は、例えば、次の段階を包含し得る：
Ｖ１）必要とあれば、汚物、油脂を除去するために金属表面の清浄化、
Ｖ２）必要とあれば、水での洗浄、
Ｖ３）必要とあれば、場合により本発明の組成物の存在での、酸洗い、
Ｖ４）必要とあれば、水での洗浄、
Ｖ５）本発明の組成物での金属表面の処理、
Ｖ６）必要とあれば、水での洗浄、及び
Ｖ７）必要とあれば、場合により本発明の組成物の存在での、後処理。